(57)【要約】【課題】  紐に対する止着力を向上できる紐止め具を提供する。【解決手段】  ソケット２と、プラグ３と、を備える。プラグ３は、一対のアーム部３２と、一対のアーム部３２の互いの対向面に配設され紐を咬持する咬持手段３５と、を備える。咬持手段３５は、一対のアーム部３２の一方に設けられた挟持手段３６と、他方に設けられた押圧突起部３７と、を備える。挟持手段３６と押圧突起部３７とは互いに対向して設けられている。【選択図】  図１
2006204602.tif 000002
【特許請求の範囲】
【請求項１】
筒状体であって一方の紐用開口部２１から紐９の端部が挿入される筒状体のソケット２と、前記紐用開口部２１の反対側に開口したプラグ用開口部２２から前記ソケット２の内側に挿入された状態で前記紐９の端部を把持するプラグ３と、前記プラグ３を前記ソケット２内に係止する係止手段と、を備え、前記ソケット２の内部に紐９の端部を固定する紐止め具１であって、
前記プラグ３は、
前記ソケット２内に挿入可能であって前記紐９の端部を間に把持する一対のアーム部３２と、
前記一対のアーム部３２の互いの対向面に配設されこの一対のアーム部３２の間に把持された紐９を咬持する咬持手段３５と、を備え、
前記咬持手段３５は、
前記一対のアーム部３２のいずれか一方に設けられ前記紐９を間に挟む溝３６４を有する挟持手段３６と、
前記一対のアーム部３２のいずれか他方に設けられ前記紐９を前記挟持手段３６の前記溝３６４内に向けて押圧する押圧突起部３７と、を備え、
前記挟持手段３６と前記押圧突起部３７とは互いに対向して設けられている
ことを特徴とする紐止め具１。
【請求項２】
前記挟持手段３６は、互いに向き合う斜面３６２を有する二つの挟持片部３６１を有し、
前記二つの挟持片部３６１の互いの斜面３６２において基端側が先端側よりも近接して前記溝３６４が略Ｖ字状に構成されている
ことを特徴とする請求項１に記載の紐止め具１。
【請求項３】
前記挟持手段３６の互いに向き合う前記斜面３６２の先端側における傾斜角度に比べて基端側における傾斜角度の方が大きい
ことを特徴とする請求項２に記載の紐止め具１。
【請求項４】
前記ソケット２は、前記プラグ用開口部２２から前記紐用開口部２１に向けて前記プラグ３が相対移動するに伴って前記紐９を間に把持した状態の前記一対のアーム部３２を互いに近接させる向きへ応力を付加する応力付加手段を有し、
前記応力付加手段は、前記プラグ用開口部２２から前記紐用開口部２１に向かう途中までに設けられた第１応力付加部と、
この第１応力付加部から前記紐用開口部２１までに設けられた第２応力付加部と、を備え、
前記第２応力付加部は、前記第１応力付加部よりも大きい応力を付加する
ことを特徴とする請求項１ないし請求項３のいずれかに記載の紐止め具１。
【請求項５】
前記応力付加部は、前記ソケット２の内側において前記プラグ用開口部２２から前記紐用開口部２１に向かうにつれて対向する内壁間隔を小さくするテーパ面２４にて構成され、
前記第２応力付加部を構成するテーパ面２４２は前記第１応力付加部を構成するテーパ面２４１よりも傾斜角度が大きい
ことを特徴とする請求項４に記載の紐止め具１。
【請求項６】
前記アーム部３２が前記ソケット２内に挿入された際に前記紐用開口部２１側に位置する前記アーム部３２の先端側には、前記応力付加手段からの応力を受ける先端テーパ面３２２が形成され、
前記第２応力付加部を構成する前記テーパ面２４２は、前記先端テーパ面３２２に対応した傾斜角度に形成されている
ことを特徴とする請求項５に記載の紐止め具。
【発明の詳細な説明】
【技術分野】
【０００１】
本発明は、紐止め具に関し、具体的には、紐の端部処理に使用される紐止め具に関する。
【背景技術】
【０００２】
従来、例えば、靴や鞄あるいは衣服や装身具における開口部等の封止、寸法等の調整には紐が多用されている。
また、物品の連結や貨物の固定等、実に多様な状況において紐が用いられている。
なお、ここでいう紐とは、結束等が可能ないわゆる紐状体を総称し、例えば、一般的な紐、ワイヤ、ケーブル等の他、テープ、ベルト、ゴム紐などが例として挙げられる。
【０００３】
これらの紐では単に切断しただけの状態では断面の外観あるいは手触りが劣るほか、編んだ素材では解れを生じることがあるので、一般に端部処理が行われる。
端部処理としては、結び目を作ること最も単純な処理であるが、操作性や装飾性を高めるために専用の紐止め具を装着することがなされている（例えば、特許文献１、特許文献２）。
【０００４】
従来の紐止め具は、筒状体のソケットと、ソケットの内側に挿入されるとともに紐の端部を噛みこんだ状態でソケット内に係止されるプラグと、を備えている。使用にあたっては、ソケットの一方開口から紐の端部をソケットの内側に挿入していく。そして、ソケットの他方開口から引き出した紐の端部をプラグの一対の挟持脚部間に噛み込んだ状態でプラグをソケットの他方開口から挿入していく。プラグがソケット内に係止されると、紐の端部がソケット内に包み込まれ、紐の端部がプラグの噛みこみによってソケットから抜け止めされた状態となる。
このような紐止め具にあっては、紐を引っ張ってもソケットから紐が抜けないように強くソケットの内部に紐の端部を固定しておくことが極めて大切である。
この点、特許文献１にあっては、プラグの挟持用脚部の片側において紐が内側に収まるように断面Ｕ字状にした二つの突起部を設け、他方の挟持用脚部に一つの突起部を設け、これらの突起部を互い違いの櫛歯上に設けている。これにより、紐の端部を挟持用脚部間に噛み込んだときに、紐が蛇行するとともに櫛歯に設けられた突起部で挟むこととしている。
【０００５】
【特許文献１】特開２００４−２０４３７６号公報
【特許文献２】特開２００１−３４０１１３号公報
【発明の開示】
【発明が解決しようとする課題】
【０００６】
しかしながら、特許文献１にあっては、突起部の断面がＵ字状であるので、紐の径が細いとすっぽ抜けてしまうという問題がある。特に、ゴム紐のように引っ張られると径が細くなるような紐状体ではゴム紐を引っ張ったときに簡単に抜けてしまう。また、ゴム紐の表面は普通の紐に比べて表面繊維密度が大きいため、特許文献１に見られるような櫛歯状に配された突起で蛇行させながら挟みつける方法ではうまく噛みこめない。さらに、突起部が櫛歯状に設けられているために挟持力が弱いという問題がある。
【０００７】
本発明の目的は、紐に対する止着力を向上できる紐止め具を提供することにある。
【課題を解決するための手段】
【０００８】
本発明の紐止め具は、筒状体であって一方の紐用開口部から紐の端部が挿入される筒状体のソケットと、前記紐用開口部の反対側に開口したプラグ用開口部から前記ソケットの内側に挿入された状態で前記紐の端部を把持するプラグと、前記プラグを前記ソケット内に係止する係止手段と、を備え、前記ソケットの内部に紐の端部を固定して紐の端部処理を行う紐止め具であって、前記プラグは、前記ソケット内に挿入可能であって前記紐の端部を間に把持する一対のアーム部と、前記一対のアーム部の互いの対向面に配設されこの一対のアーム部の間に把持された紐を咬持する咬持手段と、を備え、前記咬持手段は、前記一対のアーム部のいずれか一方に設けられ前記紐を間に挟む溝を有する挟持手段と、前記一対のアーム部のいずれか他方に設けられ前記紐を前記挟持手段の前記溝内に向けて押圧する押圧突起部と、を備え、前記挟持手段と前記押圧突起部とは互いに対向して設けられていることを特徴とする。
【０００９】
このような構成において、紐用開口部から紐の端部をソケットの内部に挿入するとともにプラグ用開口部からプラグをソケット内に挿入する。紐の端部をプラグで把持した状態で係止手段によりプラグをソケット内に係止する。すると、紐の端部がプラグに把持された状態でソケットの内部に固定されて紐の端部処理がなされる。このとき、紐の端部は一対のアーム部の間に把持されるところ、さらに、一対のアーム部の対向面に設けられた咬持手段によって咬持される。咬持手段は、挟持手段と押圧突起部との間にて紐を咬持するところ、互いに対向した挟持手段と押圧突起部とが挟持手段の溝に紐が嵌まった状態の紐を噛み合うようにして咬持する。このように対向した溝と突起（押圧突起部）とで紐を挟むので、紐を強く挟むことができ、紐がすっぽ抜けるなどの不都合を防止することができる。
【００１０】
本発明では、前記挟持手段は、互いに向き合う斜面を有する二つの挟持片部を有し、前記二つの挟持片部の互いの斜面において基端側が先端側よりも近接して前記溝が略Ｖ字状に構成されていることが好ましい。
【００１１】
このような構成によれば、挟持手段と押圧突起部とで紐を咬持するにあたって、紐をＶ溝に嵌め込んで、さらに、押圧突起部でＶ溝の奥（基端側）に紐を押し込むようにして紐を挟み込むことができる。Ｖ溝であるので、たとえ径が細い紐であったとしても狭い溝の奥（基端側）に押し込んで押圧突起部と挟持手段とで強く咬持することができる。したがって、プラグによって紐を固定して、ソケットから紐がすっぽ抜けるなどの不都合を防止することができる。
【００１２】
本発明では、前記挟持手段の互いに向き合う前記斜面の先端側における傾斜角度に比べて基端側における傾斜角度の方が大きいことが好ましい。
【００１３】
このような構成によれば、Ｖ溝の奥（基端側）が細い溝となるので、径が細い紐でもこの細くなった溝の奥に食い込ませるように押し込んで押圧突起部と挟持手段とで強く咬持することができる。したがって、プラグによって紐を固定して、ソケットから紐がすっぽ抜けるなどの不都合を防止することができる。
【００１４】
ここで、本発明では、前記咬持手段は二以上設けられていることが好ましい。
【００１５】
このような構成によれば、咬持手段が複数設けられているので、咬持手段が一つのときよりもそれだけ咬持力が強くなり、紐の端部をソケットの内部に固定してすっぽ抜けるなどの不都合を防ぐことができる。
なお、咬持手段が一つであってもよいことはもちろんである。
【００１６】
なお、咬持手段を二以上設ける場合において、総ての挟持手段が一方のアーム部に設けられるとともに総ての押圧突起部が他方のアーム部に設けられていてもよい。
または、一のアーム部において挟持手段と押圧突起部とが交互に設けられて、一対のアーム部で紐を挟んだときに挟持手段の溝に挟まれた紐を押圧突起部で押圧する方向が互い違いになるようにしてもよい。このような構成によれば、一対のアーム部の間において複数の咬持手段にて紐を咬持したときに紐が蛇行するので、紐がプラグから外れにくくなり、ソケットから紐がすっぽ抜けるなどの不都合を防ぐことができる。
【００１７】
本発明では、前記ソケットは、前記プラグ用開口部から前記紐用開口部に向けて前記プラグが相対移動するに伴って前記紐を間に把持した状態の前記一対のアーム部を互いに近接させる向きへ応力を付加する応力付加手段を有し、前記応力付加手段は、前記プラグ用開口部から前記紐用開口部に向かう途中までに設けられた第１応力付加部と、この第１応力付加部から前記紐用開口部までに設けられた第２応力付加部と、を備え、前記第２応力付加部は、前記第１応力付加部よりも大きい応力を付加することが好ましい。
【００１８】
このような構成において、紐を一対のアーム部間に挟んだ状態でプラグをソケットのプラグ開口部から押し込んでいく。すると、応力付加手段（第１応力付加手段）による応力の付加によって一対のアーム部が近接していき、アーム部の間に挟まれた紐が咬持手段（挟持手段、押圧突起部）により咬持される。紐が咬持手段で咬持された状態でプラグがソケット内に係止されることで紐の端部がソケット内に固定される。ここで、紐の端部がソケット内に固定された状態において紐が紐用開口部から引っ張られると、プラグが紐を噛み込んでいるので、プラグが紐用開口部側に向けて引かれる。プラグが紐用開口部側に引かれて移動すると、アーム部に第２応力付加手段からさらに強い応力が付加される。すると、一対のアーム部が内側に絞まって紐を強く咬持する。その結果、紐が紐用開口部から引っ張られても紐がソケットから抜けることはない。
【００１９】
本発明では、前記応力付加部は、前記ソケットの内側において前記プラグ用開口部から前記紐用開口部に向かうにつれて対向する内壁間隔を小さくするテーパ面にて構成され、前記第２応力付加部を構成するテーパ面は前記第１応力付加部を構成するテーパ面よりも傾斜角度が大きいことが好ましい。
【００２０】
このような構成において、紐を一対のアーム部間に挟んだ状態でプラグをソケットのプラグ開口部から押し込んでいく。すると、ソケット内のテーパ面によって一対のアーム部が締め付けられて、アーム部の間に挟まれた紐が咬持手段（挟持手段、押圧突起部）により咬持される。紐が咬持手段で咬持された状態でプラグがソケット内に係止されることで紐の端部がソケット内に固定される。
ここで、紐の端部がソケット内に固定された状態において紐が紐用開口部から引っ張られると、プラグが紐を噛み込んでいるので、プラグが紐用開口部側に向けて引かれる。
プラグが紐用開口部側に引かれて移動すると、第２応力付加部のテーパ面によりアーム部が締め付けられる。そして、第２応力付加部のテーパ面の傾斜角度が大きいので、第２応力付加部によってより強い応力がアーム部に付加される。このとき、第２応力付加部はテーパ面にて構成されているので、紐が紐用開口部から引っ張られてプラグが紐用開口部に向けて移動するほどアーム部に付加される応力は強くなる。よって、紐が引かれるほど咬持手段の咬持力が強くなり、紐が抜けにくくなる。その結果、紐が紐用開口部から引っ張られても紐がソケットから抜けるなどの不都合が防止される。
また、テーパ面の傾斜角度を大きくすることで、軸方向の製品の長さを短くして製品の短小化を図ることができる。
【００２１】
本発明では、前記アーム部が前記ソケット内に挿入された際に前記紐用開口部側に位置する前記アーム部の先端側には、前記応力付加手段からの応力を受ける先端テーパ面が形成され、前記第２応力付加部を構成する前記テーパ面は、前記先端テーパ面に対応した傾斜角度に形成されていることが好ましい。
【００２２】
この構成によれば、アーム部の先端側に応力を集中的に付加して一対のアーム部を効率的に締め付けることができる。応力を付加する位置をアーム部の先端とすることによって、てこの原理により効率的にアーム部に大きな力を作用させることができるからである。そして、その結果、咬持手段による紐の咬持力を強くし、紐の止着力を強くすることができる。
【００２３】
ここで、第２応力付加部のテーパ面を前記先端テーパ面に対応した傾斜角度にするとは、例えば、第２応力付加部のテーパ面の傾斜角度と先端テーパ面の傾斜角度とを一致させること、あるいは、アーム部が紐用開口部側に移動する際に先端テーパ面が当接可能であって、かつ、アーム部の先端同士を近接させる向きへスライドさせる傾斜に形成することをいう。
また、アーム部の先端に先端テーパ面を設けるにあたって、一対のアーム部の対向面に咬持手段が設けられるところ、この咬持手段と同じかそれよりも先端側に先端テーパ面を設けることが好ましい。
【発明を実施するための最良の形態】
【００２４】
以下、本発明の実施の形態を図示するとともに図中の各要素に付した符号を参照して説明する。
（第１実施形態）
本発明の紐止め具１に係る第１実施形態について説明する。
図１は、紐止め具１の全体斜視図においてソケット２の一部を破断した図である。
紐止め具１は、ソケット２と、ソケット２内に挿入されるプラグ３と、を備える。
【００２５】
ソケット２は、筒状体であって、筒の一端側（一方側）には紐の端部が挿入される紐用開口部２１が開口しており、また、他端側（他方側）にはプラグ３が挿入されるプラグ用開口部２２が開口している。
紐用開口部２１の開口面積は紐９の断面積よりもわずかに大きい程度であり、プラグ用開口部２２はプラグ３が挿入可能な広さである。なお、紐用開口部２１の面積は紐程度の大きさしかないので、プラグ用開口部２２から挿入されたプラグ３が紐用開口部２１から抜け出ることはない。
ソケット２の外形としては、全体に略扁平形状であるとともに面取りされた形状である。そして、平面視において、一端側がやや幅狭であって、一端側から他端側に向かうにつれて次第に幅広となり、途中から指を引っ掛けるための膨らみ２３が他端側に設けられている。
【００２６】
ソケット２の内側には、プラグ用開口部２２から紐用開口部２１に向かうにつれて対向する内壁間隔を小さくするテーパ面２４が設けられている。
そして、プラグ用開口部２２から紐用開口部２１に向かう途中までに設けられた第１テーパ面２４１の傾斜が緩やかであるのに対し、紐用開口部２１付近に設けられた第２テーパ面２４２は傾斜が急である。ここで、第１テーパ面２４１の傾斜角度を２〜５度程度とし、第２テーパ面２４２の傾斜角度を３０度から５０度程度とすることが例として挙げられる。
ここに、テーパ面２４によって応力付加手段が構成され、第１テーパ面２４１により第１応力付加部が構成され、第２テーパ面２４２により第２応力付加部が構成されている。
また、ソケット２の他端側内壁において、プラグ３を係止するための係止凹部２５が凹設されている。係止凹部２５は、ソケット２の筒軸方向において所定の長さを有している。
【００２７】
なお、ソケット２は、ポリアセタールなどの合成樹脂等で形成されることが例として挙げられるが、材質は特に限定されない。
【００２８】
図２は、プラグ３の斜視図である。
プラグ３は、基端側を構成する頭部３１と、頭部３１から先端に向けて突設された二本一対のアーム部３２、３２と、アーム部３２、３２の互いの対向面に配設されこの一対のアーム部３２、３２の間に把持された紐を咬持する咬持手段３５と、を備えている。
頭部３１には、プラグ３がソケット２内に挿入された際にソケット２の係止凹部２５に係合する係止爪３１１が設けられている。ここに、係止凹部２５と係止爪３１１とにより係止手段が構成されている。
係止爪３１１は三角柱状であり、先端側の面は傾斜面３１２であるのに対し、基端側の面は垂直面３１３である。
アーム部３２、３２は、可撓性のアームであって、頭部３１との連結点であるアーム部３２、３２の付け根３２１を中心として先端を外側へ押し広げたり内側に押し込んだりする弾性的変形が可能である。そして、アーム部３２、３２の間を押し広げて、端部処理される紐の端部をアーム部３２、３２の間に挟んで把持することができる。また、アーム部３２、３２の先端側外側面には、先端に向けて先細るように面取りされて形成された先端テーパ面３２２が形成されている。
なお、説明の都合上、図２中において左側のアーム部３２を左アーム部３３とし、図２中において右側のアーム部３２を右アーム部３４とする。
【００２９】
咬持手段３５は、アーム部３２、３２の先端側とその奥側（基端側）とで二つ設けられている。二つの咬持手段３５は基本的に同じ構成であり、左アーム部３３に設けられた挟持手段３６と、右アーム部３４に設けられた押圧突起部３７と、を備えている。
【００３０】
挟持手段３６は、互いに向き合う斜面３６２を有する二つの挟持片部３６１により構成されている。
そして、二つの挟持片部３６１の互いの斜面３６２は、基端側が先端側よりも近接しており、二つの斜面３６２で構成される溝が略Ｖ字状のＶ溝３６４になっている。
さらに、挟持手段３６の互いに向き合う斜面３６２の傾斜は途中で変化しており、先端側における傾斜角度（図７中のθ１）に比べて基端側における傾斜角度（図７中のθ２）の方が大きくなっている。
これにより、先端側において広く開いた溝幅から基端側に向かうについて徐々に溝幅が狭くなっていき、さらに、途中から急激に細くなって頂角が非常に小さい細溝部３６５が基端側に形成されている。また、各斜面３６２にはＶ字状の補助溝３６３が切欠き形成されている。
なお、挟持片部３６１の基端側がアーム部３２の先端よりに位置し、また挟持片部３６１の先端側がアームの基端よりに位置しており、挟持手段３６は、平面視において、逆鉤のごとくアーム部３２の基端よりに傾斜するように形成されている。
【００３１】
押圧突起部３７は、挟持手段３６に対向して設けられている。
押圧突起部３７は断面略三角形状であるところ、挟持手段３６のＶ溝３６４に対応した形状であって、さらに裾野にあたる基端側の傾斜角度に比べて先端側には急峻に突き出た細突起部３７１が設けられている。
また、挟持片部３６１の基端側がアーム部３２の先端よりに位置し、また挟持片部３６１の先端側がアームの基端よりに位置しており、平面視において、逆鉤のごとくアーム部３２の基端よりに傾斜するように形成されている。
【００３２】
なお、プラグは一体成型されており、すなわち、頭部３１、アーム部３２、３２および咬持手段３５は一つの部材として一体成型されている。プラグを形成する材質としては例えばポリアセタールなどの合成樹脂などが例として挙げられるが、特に限定されない。
【００３３】
次に、このような構成を備える第１実施形態に係る紐止め具１の使用方法およびその作用について説明する。
なお、端部処理の対象となる紐９としては、ゴム紐９を例にして説明する。
図３は、平面視において、ソケット２に紐９を通した状態を示す部分断面図である。図４は、平面視において、ソケット２に通した紐９の端部をプラグ３で把持した状態を示す部分断面図である。図５は、平面視において、プラグ３をソケット２内に係止した状態を示す部分断面図である。図６は、側方視において、プラグ３をソケット２内に係止した状態を示す部分断面図である。図７は、プラグ３をソケット２内に係止した状態の図５におけるVII-VII線断面図である。
【００３４】
紐止め具１によって紐９の端部処理をするにあたって、まず、紐９の端部を紐用開口部２１からソケット２に挿入して、さらに、紐９の端部をプラグ用開口部２２から引き出す（図３参照）。
そして、アーム部３２、３２の先端を押し開いて紐９の端部をアーム部３２、３２の間に挟む（図４参照）。
このとき、挟持手段３６のＶ溝３６４に紐９が嵌まるようにする。
この状態で、プラグ３をソケット２の内部に挿入していく。
すると、まず、アーム部３２、３２の先端側外側面である先端テーパ面３２２がソケット２の内壁に当接する。そのままプラグ３００をソケット２００の内部に押し込んでいくと、紐９を挟んだことでアーム部３２、３２が押し広がった分、ソケット２内面のテーパ面２４により左右のアーム部３２、３２には内方へ締め付ける応力が付加される。
【００３５】
左右のアーム部３２、３２が内方へ締め付けられると、挟持手段３６と押圧突起部３７とが噛み合うように接近して間に挟んだ紐９を咬持する（図７参照）。
ソケット２にプラグ３をさらに押し込むと、アーム部３２、３２がテーパ面２４（具体的には第１テーパ面２４１）によって徐々に締め付けられていき、挟持手段３６と押圧突起部３７との間に紐９が挟み込まれて強く固定される。
そして、図５、図６に示されるように、頭部３１までソケット２の内方へ押し込んだところで頭部３１の係止爪３１１がソケット２の係止凹部２５に係合してプラグ３がソケット２の内部に係止される。このとき、アーム部３２の先端テーパ面３２２は、ソケット２の第２テーパ面２４２に当接し、一対のアーム部３２は内方へ強く締め付けられる。
すると、紐９の端部がソケット２の内部においてプラグ３に噛み込まれて強く固定され、紐９の端部処理がなされる。
【００３６】
次に、紐９が強く引っ張られた場合の作用について説明する。
図８は、平面視において、紐用開口部２１から紐９が引っ張られたときの動作を示す図である。図９は、側方視において、紐用開口部２１から紐９が引っ張られたときの動作を示す図である。図１０は、図８中のX-X線断面図である。
【００３７】
ソケット２内に固定されて端部処理された紐９が紐用開口部２１から引きだされる方向へ強く引かれた場合、咬持手段３５によりプラグ３が紐９を噛み込んでいるので紐９が引かれるとプラグ３も引かれる。このとき、図９に示されるように、係止凹部２５はソケット２の軸線方向に所定の長さｌを有しているので、プラグ３は紐用開口部２１の側へ移動することができる。
プラグ３がソケット２の紐用開口部２１に向けて引かれると、アーム部３２、３２の先端（先端テーパ面３２２）が、ソケット２内の第２テーパ面２４２に押圧される。すると、傾斜角度が大きくなっている第２テーパ面２４２によって、アーム部３２、３２がさらに内方へ締め付けられる。すると、挟持手段３６と押圧突起部３７とがさらに接近し、咬持手段３５が紐９を強固に挟み込む。紐９が引かれればプラグ３が紐用開口部２１の側へ引かれるところ、紐９が引かれれば引かれるほど第２テーパ面２４２によってアーム部３２、３２が締め付けられていく。
【００３８】
このとき、図１０に示されるように、ゴム紐９は引っ張られることにより弾性変形してその径が小さくなっていくが、アーム部３２、３２が内方へ締め付けられることにより挟持手段３６と押圧突起部３７との咬持力はますます強くなっていくので、紐９が挟持手段３６の細溝部３６５および補助溝３６３に押し込まれていき、紐９はより強固に咬持される。
そのため、紐９がどれほど引っ張られてもプラグ３の咬持手段３５から外れることがなく、紐９がソケット２の紐用開口部２１からすっぽ抜けることはない。
【００３９】
このような構成を備える第１実施形態によれば、次の効果を奏することができる。
（１）挟持手段３６と押圧突起部３７との間にて紐９を咬持するところ、互いに対向した挟持手段３６と押圧突起部３７とが挟持手段３６の溝３６４に紐９が嵌まった状態の紐９を噛み合うようにして咬持する。このように対向した溝と突起（押圧突起部３７）とで紐９を挟むので、紐９を強く挟むことができ、紐９がすっぽ抜けるなどの不都合を防止することができる。
【００４０】
（２）挟持手段３６と押圧突起部３７とで紐９を咬持するにあたって、紐９をＶ溝３６４に嵌め込んで、さらに、押圧突起部３７でＶ溝３６４の奥（基端側）に紐９を押し込むようにして紐９を挟み込むことができる。Ｖ溝３６４であるので、引っ張られると縮径する紐９であったとしても狭い溝の奥（基端側）に押し込んで押圧突起部３７と挟持手段３６とで強く咬持することができる。したがって、プラグ３によって紐９を強く固定して、ソケット２から紐９がすっぽ抜けるなどの不都合を防止することができる。
【００４１】
（３）Ｖ溝３６４の奥（基端側）が細い溝となるので、縮径する紐９でもこの細くなった溝の奥に食い込ませるように押し込んで押圧突起部３７と挟持手段３６とで咬持することができる。したがって、プラグ３によって紐９を強く固定して、ソケット２から紐９がすっぽ抜けるなどの不都合を防止することができる。
【００４２】
（４）紐９が紐用開口部２１から引っ張られると、プラグ３が紐９を噛み込んでいるのでプラグ３が紐用開口部２１側に向けて引かれて移動するが、プラグ３が紐用開口部２１側に引かれて移動すると、第２応力付加部の第２テーパ面２４２によりアーム部３２、３２が締め付けられる。このとき、第２応力付加部の第２テーパ面２４２の傾斜角度が大きいので、第２応力付加部によってより強い応力をアーム部３２、３２に付加することができる。また、第２応力付加部をテーパ面（第２テーパ面２４２）にて構成しているので、紐９が紐用開口部２１から引っ張られてプラグ３が紐用開口部２１に向けて移動するほどアーム部３２、３２に付加する応力を強くすることができる。よって、紐９が引かれるほど咬持手段３５の咬持力が強くなり、紐９を抜けにくくできる。その結果、紐９が紐用開口部２１から引っ張られても紐９がソケット２から抜けるなどの不都合を防止することができる。
【００４３】
（５）咬持手段３５が二つ設けられているので、咬持手段３５が一つのときよりもそれだけ咬持力が強くなり、紐９の端部をソケット２の内部に固定してすっぽ抜けるなどの不都合を防ぐことができる。
【００４４】
（６）挟持手段３６のＶ溝３６４には、細溝部３６５に加えて補助溝３６３が設けられているので、挟持手段３６と押圧突起部３７とにて紐９を咬持した際に補助溝３６３にも紐９を食い込ませることで紐９を抜けにくくすることができる。また、挟持手段３６および押圧突起部３７が逆鉤形状に形成されているので、紐９が紐用開口部２１から引かれた場合には押圧突起部３７の先端が紐に食い込むように引っ掛かって紐９を抜けにくくすることができる。
【００４５】
なお、本発明は前述の実施形態に限定されず、本発明の目的を達成できる範囲での変形、改良等は本発明に含まれる。
一対のアーム部を近接させて締め付ける応力付加手段がソケット内に形成されたテーパ面によって構成される例を説明したが、一対のアーム部を締め付ける構成としては、プラグの側面をテーパ面に形成してもよい。
さらに、ソケットおよびプラグにテーパ面を形成しなくても、紐をアーム部の間に挟んだ際のアーム部の広がり分を利用してアーム部を締め付けるようにしてもよい。
ソケット内のテーパ面が第１テーパ面と第２テーパ面とで傾斜角度の異なる二段階のテーパ面で構成されているとしたが、第２応力付加手段としての第２テーパ面は形成されていなくてもよい。
挟持手段を形成する斜面において、奥側（基端側）の傾斜角度が大きくなって細溝部が構成されている例を説明したが、このような細溝部は形成されていなくてもよい。
【００４６】
咬持手段は二つ設けられている例を説明したが、咬持手段は一つでもよく、三つ以上でもよいことはもちろんである。
ソケット内にプラグを係止する係止手段の構成は特に限定されず、ソケットに設けられた係止凹部の形状も限定されない。係止手段は、ソケット内にプラグを係止でき、かつ、紐が引かれる方向へのプラグの移動を許容できればよい。例えば、ソケットには、長さｌの凹部ではなく、ソケット内に挿入されたプラグを紐が引かれる方向とは反対側に移動しないように止めるストッパとしての突起部が設けられていてもよい。
端部処理の対象としての紐の種類はゴム紐に限られず、特に限定されない。
【産業上の利用可能性】
【００４７】
本発明は、紐止め具に利用できる。
【図面の簡単な説明】
【００４８】
【図１】本発明の紐止め具に係る第１実施形態において、紐止め具の全体斜視図。
【図２】第１実施形態において、プラグの斜視図。
【図３】第１実施形態において、ソケットに紐を通した状態を平面視した部分断面図。
【図４】第１実施形態において、ソケットに通した紐の端部をプラグで把持した状態を平面視した部分断面図。
【図５】第１実施形態において、プラグをソケット内に係止した状態を平面視した部分断面図。
【図６】第１実施形態において、プラグをソケット内に係止した状態を側方視した部分断面図。
【図７】第１実施形態において、プラグをソケット内に係止した状態の図５におけるVII-VII線断面図。
【図８】第１実施形態において、紐用開口部から紐が引っ張られたときの動作を平面視にて示す図。
【図９】第１実施形態において、紐用開口部から紐が引っ張られたときの動作を側方視にて示す図。
【図１０】第１実施形態において、図８中のX-X線断面図。
【符号の説明】
【００４９】
１…紐止め具、２…ソケット、２１…紐用開口部、２２…プラグ用開口部、２４…テーパ面、２４１…第１テーパ面、２４２…第２テーパ面、２５…係止凹部、３…プラグ、３１…頭部、３１１…係止爪、３１２…傾斜面、３１３…垂直面、３２…アーム部、３２２…先端テーパ面、３３…左アーム部、３４…右アーム部、３５…咬持手段、３６…挟持手段、３６１…挟持片部、３６２…斜面、３６３…補助溝、３６４…Ｖ溝、３６５…細溝部、３７…押圧突起部、３７１…細突起部。
【図１】
2006204602.tif 000003
【図２】
2006204602.tif 000004
【図３】
2006204602.tif 000005
【図４】
2006204602.tif 000006
【図５】
2006204602.tif 000007
【図６】
2006204602.tif 000008
【図７】
2006204602.tif 000009
【図８】
2006204602.tif 000010
【図９】
2006204602.tif 000011
【図１０】
2006204602.tif 000012